(57)【要約】【課題】光学箱の材質に関わらず複数の加振周波数に対応可能で、バンディングなどの画像劣化の発生を防ぐことのできる光走査装置を提供する。【解決手段】光源と、光源から出射された光ビームを走査する光偏向器と、光偏向器により偏向走査された光ビームを被走査面に向けて反射する折り返しミラーとを有し、光源、光偏向器および折り返しミラーを光学箱１１内に載置した光走査装置であって、光学箱１１は複数箇所が支持部１０１で支持され、支持部１０１は、板ばね１０２と、矢印２０１ａ，２０１ｂ方向に移動自在で板ばね１０２を支持する板ばね支持治具１０３とを有しており、これにより、光学箱１１の剛性を可変とする。【選択図】図５
2014106316.tif 000002
【特許請求の範囲】
【請求項１】
光源と、前記光源から出射された光ビームを走査する光偏向器と、前記光偏向器により偏向走査された光ビームを被走査面に向けて反射する単一若しくは複数の折り返しミラーとを有し、前記光源、前記光偏向器および前記折り返しミラーを光学箱内に搭載した光走査装置であって、
前記光学箱を複数箇所で支持する支持部が設けられ、
前記支持部は、固定脚を介して前記光学箱に取り付けられた板ばねと、該板ばねの両端に移動可能に設けられ、互いに接近・離間した位置で前記板ばねを固定支持する板ばね支持治具とを有し、
前記板ばね支持治具が、前記板ばねを当該板ばねの外側で固定支持する構造であることを特徴とする光走査装置。
【請求項２】
前記板ばね支持治具が互いに接近・離間するよう移動させることにより、前記板ばねが前記光学箱を支持する部分の面積が変化することを特徴とする請求項１に記載の光走査装置。
【請求項３】
光源と、前記光源から出射された光ビームを走査する光偏向器と、前記光偏向器により偏向走査された光ビームを被走査面に向けて反射する単一若しくは複数の折り返しミラーとを有し、前記光源、前記光偏向器および前記折り返しミラーを光学箱内に搭載した光走査装置であって、
前記光学箱を複数箇所で支持する支持部が設けられ、
前記支持部は、固定脚を介して前記光学箱に取り付けられた板ばねと、該板ばねの両端を固定支持する板ばね支持治具とを有し、
前記板ばねとして、板厚が異なる複数種類の板ばねが用意され、当該板ばねが交換可能であることを特徴とする光走査装置。
【請求項４】
前記板ばね支持治具は上部部材と下部部材とを有し、前記板ばねは、前記上部部材と前記下部部材とで挟まれることによって固定されることを特徴とする請求項１〜３のいずれか一項に記載の光走査装置。
【請求項５】
前記板ばねは、前記光学箱を収納する本体フレームに位置決め部材によって位置決めされて固定されることを特徴とする請求項１〜４のいずれか一項に記載の光走査装置。
【請求項６】
前記支持部は、前記光学箱の隅部付近に対応して配置されていることを特徴とする請求項１〜５のいずれか一項に記載の光走査装置。
【請求項７】
請求項１〜６のいずれか一項に記載の光走査装置を搭載したことを特徴とする画像形成装置。
【発明の詳細な説明】
【技術分野】
【０００１】
本発明は、光走査装置、及びその光走査装置を搭載した画像形成装置に関する。
【背景技術】
【０００２】
従来の画像形成装置において、レーザビームを感光体上に照射して画像を形成する光走査装置は、光学箱に光路折り曲げのための反射ミラー（折り返しミラー）などの光学部品を載置することが多い。光学箱は、アルミダイカストなどで作られる金属製のものと、樹脂製のものが主流である。
【０００３】
この光学箱の筐体（ハウジング）の固有振動数で励起する加振源があった場合、ハウジングが振動し、その固有振動数でスポット位置変動が起こることがあり、出力された画像にその周波数でバンディングと呼ばれる縞模様が現れ、画像劣化の要因となる。ハウジングの固有振動数はハウジング自体の剛性と、ハウジングを固定しているステーの剛性によって決定される。つまり、これらの剛性によってバンディングの発生状況が変化することがある。
【０００４】
そこで、光学箱を固定するねじの締結力を変化させたり、光学箱の固定脚をクランプで固定し、固定脚とクランプの接触面積を変化させたりすることで、ハウジングの固有振動数を変化させるようにしたものが提案されている（特許文献１参照）。
【０００５】
また、光学箱を本体フレームに固定するための固定部を複数設け、機種ごとに固定部分を変えて固有振動数を変化させるようにしたものも提案されている（特許文献２や特許文献３参照）。
【０００６】
さらに、光学箱の固有振動数を高周波数域にシフトさせるために、光学箱の取り付け部の肉厚をある範囲に設定するようにしたものも提案されている（特許文献４参照）。
【発明の概要】
【発明が解決しようとする課題】
【０００７】
しかしながら、上記従来技術のうち、特許文献１の技術では、ねじの締結力を変化させるのみでは十分な剛性変化が見込めず、さらには、締結力を小さくした際のガタの発生が懸念される。また、クランプ固定においても同様の懸念がある。
【０００８】
また、特許文献２や特許文献３の技術では、複数の加振源があることが一般的であり、また、その基本周波数のみならず、倍数周波数も加振周波数となり得ることが考えられ、あらかじめ光学箱の固有振動数を最適化するのは困難である。
【０００９】
さらに、特許文献４の技術では、複数の加振周波数には対応しておらず、近年の画像形成装置の高速化に対しては光学箱の固有振動数を高周波数域にシフトした場合でも、その周波数に加振力があった場合にはバンディングなどの画像劣化が懸念される。
【００１０】
本願の課題は、光学箱の材質に関わらず複数の加振周波数に対応可能で、バンディングなどの画像劣化の発生を防ぐことのできる光走査装置、及びその光走査装置を搭載した画像形成装置を提供することにある。
【課題を解決するための手段】
【００１１】
上記課題を達成するために、本願は、光源と、前記光源から出射された光ビームを走査する光偏向器と、前記光偏向器により偏向走査された光ビームを被走査面に向けて反射する単一若しくは複数の折り返しミラーとを有し、前記光源、前記光偏向器および前記折り返しミラーを光学箱内に搭載した光走査装置であって、前記光学箱を複数箇所で支持する支持部が設けられ、前記支持部は、固定脚を介して前記光学箱に取り付けられた板ばねと、該板ばねの両端に移動可能に設けられ、互いに接近・離間した位置で前記板ばねを固定支持する板ばね支持治具とを有し、前記板ばね支持治具が、前記板ばねを当該板ばねの外側で固定支持する構造であることを特徴とする。
【発明の効果】
【００１２】
本願によれば、光学箱は複数箇所が支持部で支持され、さらに各支持部の板ばね両端に設けられた板ばね支持治具は移動自在で、板ばね支持治具を接近・離間させることにより、光学箱の剛性を可変とすることができる。その結果、光学箱の材質に関わらず複数の加振周波数に対応可能で、バンディングなどの画像劣化の発生を防ぐことのできる光走査装置、及びその光走査装置を搭載した画像形成装置を実現することができる。
【図面の簡単な説明】
【００１３】
【図１】実施例に係る光走査装置の平面図である。
【図２】図１の光走査装置に搭載された折り返しミラーの斜視図である。
【図３】光学箱の振動モードを示す図である。
【図４】光学箱の他の振動モードを示す図である。
【図５】光学箱の支持構造の断面図である。
【図６】光学箱が標準剛性の場合における、光学箱を支持する支持部の分解斜視図である。
【図７】光学箱が低剛性の場合における、光学箱を支持する支持部の分解斜視図である。
【図８】光学箱が高剛性の場合における、光学箱を支持する支持部の分解斜視図である。
【図９】光学箱が標準剛性における支持部の斜視図である。
【図１０】光学箱の振動振幅が変化することを説明する図である。
【図１１】光学箱を支持する支持部を示しており、板ばねの厚さを標準にしたときの支持部の正面図である。
【図１２】光学箱を支持する支持部を示しており、板ばねの厚さを低剛性にしたときの支持部の正面図である。
【図１３】光学箱を支持する支持部を示しており、板ばねの厚さを高剛性にしたときの支持部の正面図である。
【図１４】図１１〜図１３における支持部の一例を示す分解斜視図である。
【図１５】図１１〜図１３における支持部の他の例を示す分解斜視図である。
【図１６】実施例の光走査装置を搭載した画像形成装置の概略構成図である。
【発明を実施するための形態】
【００１４】
以下、実施例について図面に従って説明する。
【実施例】
【００１５】
《実施例１》
図１は、本実施例に係る光走査装置の平面図である。図１において、１１は光学箱であり、この光学箱１１には、レーザビームを出射する光源ユニット１２ａ，１２ｂ、光源ユニット１２ａ，１２ｂからのレーザビームＬ１を副走査方向に集光するシリンダレンズ１３ａ，１３ｂ、レーザビームＬ１を偏向走査する偏向走査ユニット１４が設けられている。また、光学箱１１には、ｆθレンズや面倒れ補正レンズなどからなる走査レンズ１５ａ，１５ｂ、感光体ドラムに照射する前のレーザビームＬ２を反射する光検出ミラー１６ａ，１６ｂ、光検出ミラー１６ａ，１６ｂからのレーザビームＬ２を検出する光検出ユニット１７ａ，１７ｂ、レーザビームＬ１を反射して感光体ドラムに照射する折り返しミラー１８ａ，１８ｂが設けられている。さらに、偏向走査ユニット１４には、レーザビームＬ１を反射するポリゴンミラー１４ａ、及びポリゴンミラー１４ａを回転駆動する駆動モータ１４ｂが設けられている。
【００１６】
本実施例では、光学箱１１の隅部４箇所には固定脚１９ａ〜１９ｄが取り付けられ、これら固定脚１９ａ〜１９ｄには支持部１０１ａ〜１０１ｄがそれぞれ設けられている。支持部１０１ａ〜１０１ｄは、光学箱１１を図示していない本体フレームに剛性可変（光学箱１１の剛性を可変とすること）に固定している。
【００１７】
図２は、光走査装置に搭載された折り返しミラー１８ａ，１８ｂの斜視図である。折り返しミラー１８ａ，１８ｂの各両端部２０１，２０１が座台２０２，２０２で支持されている。座台２０２，２０２はそれぞれ傾斜面を有し、それら傾斜面に折り返しミラー１８ａ，１８ｂが載せられ固定されている。そのため、折り返しミラー１８ａ，１８ｂはその反射面が傾斜して配置されている。
【００１８】
また、座台２０２，２０２にはそれらの上方に板バネ２０３，２０３が設けられ、折り返しミラー１８ａ，１８ｂはそれぞれ板バネ２０３，２０３によって座台２０２，２０２に強固に固定されている。
【００１９】
図３及び図４は光学箱１１の代表的な固有振動モードを示しており、図３は光学箱１１の１次ねじり振動を、図４は光学箱１１の１次曲げ振動をそれぞれ示している。光学箱１１が、これらの振動を励起されると同時に光学系部品群の位置関係もずれるため、図示していない感光体にレーザビームＬ１（図１参照）が照射された際に位置ずれが発生し、バンディングの要因となる場合がある。
【００２０】
図５は、光学箱１１の隅部の固定脚１９（１９ａ〜１９ｄ）を支持する支持部１０１（１０１ａ〜１０１ｄ）を断面図で表したものである。固定脚１９は光学箱１１の側壁下部に固定され、この固定脚１９に板ばね１０２がねじ２０によって固定されている。板ばね１０２は、帯状を成し、その長手方向が光学箱１１の側面に平行となるよう配置されている。板ばね１０２には、その中央部に前記ねじ２０の先端部がねじ込まれ、板ばね１０２が固定脚１９に固定されている。
【００２１】
板ばね１０２の下方には本体フレーム２１が配置されており、板ばね１０２の両端は板ばね支持治具１０３，１０３で本体フレーム２１上に支持されている。板ばね支持治具１０３，１０３はねじ１０４，１０４によって本体フレーム２１上に固定される。この場合、図中、右側の板ばね支持治具１０３は矢印２０１ａ方向に、左側の板ばね支持治具１０３は矢印２０１ｂ方向にそれぞれ移動させて最適な位置で、ねじ１０４，１０４によって板ばね支持治具１０３，１０３を本体フレーム２１上に固定する。すなわち、板ばね支持治具１０３，１０３をそれぞれ矢印２０１ａ，２０１ｂ方向に移動させることで、板ばね１０２の支持範囲を変更することができ、支持部１０１の光学箱１１に対する支持剛性を変更することができる。なお、板ばね支持治具１０３，１０３の詳細な構成については後述する。
【００２２】
また、板ばね１０２の両端部側（板ばね支持治具１０３，１０３が配置された位置よりも端部側）には位置決めピン１０５，１０５が設けられ、これら位置決めピン１０５，１０５によって、板ばね１０２は本体フレーム２１に対する絶対位置が決定され固定されている。これにより、光学箱１１は、図示していない感光体ドラムとの位置関係が一定となっている。なお、位置決めピン１０５，１０５の詳細な構成についても後述する。
【００２３】
図６〜図８は板ばね支持治具１０３，１０３付近の構成を詳細に示しており、図６は板ばね支持治具１０３，１０３を標準位置に配置した場合の分解斜視図、図７は支持部１０１の剛性を小さくする方向に板ばね支持治具１０３，１０３を移動させたときの分解斜視図、図８は支持部１０１の剛性を大きくする方向に板ばね支持治具１０３，１０３を移動させたときの分解斜視図である。
【００２４】
図６のように板ばね支持治具１０３，１０３を標準位置に配置した場合、図５において、右側の板ばね支持治具１０３も左側の板ばね支持治具１０３も、それらの中央部分にねじ１０４，１０４がそれぞれ位置している。図７のように支持部１０１の剛性を小さくする方向に板ばね支持治具１０３，１０３を移動させた場合、図５において、支持治具１０３，１０３は互いに離れる方向へ移動して、右側の板ばね支持治具１０３は標準位置よりも右方に、左側の板ばね支持治具１０３は標準位置よりも左方にそれぞれ位置する。図８のように支持部１０１の剛性を大きくする方向に板ばね支持治具１０３，１０３を移動させた場合、図５において、支持治具１０３，１０３は互いに接近する方向へ移動して、右側の板ばね支持治具１０３は標準位置よりも左方に、左側の板ばね支持治具１０３は標準位置よりも右方にそれぞれ位置する。
【００２５】
板ばね支持治具１０３，１０３は、直方体形状の上部部材１０３ａ及び下部部材１０３ｂから成っており、上部部材１０３ａ及び下部部材１０３ｂは板ばね１０２を挟んで配置されている。上部部材１０３ａには、その長手方向に沿って長穴１０６が、下部部材１０３ｂには、その長手方向に沿って長穴１０７がそれぞれ形成されている。ここで、長穴１０６は２つの長穴１０６ａ，１０６ｂで構成され、長穴１０７は２つの長穴１０７ａ，１０７ｂで構成されている。これら長穴１０６，１０７が形成されていることにより、板ばね１０２の支持範囲を変更することができる。長穴１０６ａと長穴１０６ｂとの間の距離Ｗ１は、板ばね１０２の板幅Ｗ２よりも大きく設定されている。同様に、長穴１０７ａと長穴１０７ｂとの間の距離Ｗ３（＝Ｗ１）も、板ばね１０２の板幅Ｗ２よりも大きく設定されている。
【００２６】
また、本体フレーム２１にはねじ穴１０９がそれぞれ形成されている。ここで、ねじ穴１０９は２つのねじ穴１０９ａ，１０９ｂで構成されている。そして、ねじ１０４ａを、上部部材１０３ａの長穴１０６ａ及び下部部材１０３ｂの長穴１０７ａに通して、本体フレーム２１のねじ穴１０９ａにねじ込んで締め付ける。同様にねじ１０４ｂを、上部部材１０３ａの長穴１０６ｂ及び下部部材１０３ｂの長穴１０７ｂに通して、本体フレーム２１のねじ穴１０９ｂにねじ込んで締め付ける。これにより、板ばね１０２を本体フレーム２１に強固に固定することができる。
【００２７】
さらに、板ばね１０２にはピン貫通穴１１０が、本体フレーム２１には位置決め穴１１１が形成されている。ここで、ピン貫通穴１１０は２つのピン貫通穴１１０ａ，１１０ｂで構成され、位置決め穴１１１は２つの位置決め穴１１１ａ，１１１ｂで構成されている。そして、位置決めピン１０５ａを、板ばね１０２のピン貫通穴１１０ａに通して、本体フレーム２１の位置決め穴１１１ａに嵌め合わせるとともに、位置決めピン１０５ｂを、板ばね１０２のピン貫通穴１１０ｂに通して、本体フレーム２１の位置決め穴１１１ｂに嵌め合わせる。これによって、板ばね１０２の位置を所定位置に設定することができる。
【００２８】
図６においては、ねじ１０４ｂ，１０４ｂは、上部部材１０３ａの長穴１０６ａ，１０６ｂの略中央部を、さらに下部部材１０３ｂの長穴１０７ａ，１０７ｂの略中央部をそれぞれ貫通している。
【００２９】
図７においては、ねじ１０４ｂ，１０４ｂは、上部部材１０３ａの長穴１０６ａ，１０６ｂの左寄り（光学箱１１の中心に近い側）を貫通し、さらに下部部材１０３ｂの長穴１０７ａ，１０７ｂの左寄り（光学箱１１の中心に近い側）を貫通している。
【００３０】
図８においては、ねじ１０４ｂ，１０４ｂは、上部部材１０３ａの長穴１０６ａ，１０６ｂの右寄り（光学箱１１の中心から離れた側）を貫通し、さらに下部部材１０３ｂの長穴１０７ａ，１０７ｂの右寄り（光学箱１１の中心から離れた側）を貫通している。
【００３１】
図６〜図８に示したように、板ばね支持治具１０３，１０３の位置を変えることにより、図３及び図４に示すような光学箱１１の振動モードに対する剛性を変化させることができる。すなわち、光学箱１１の固有振動数を変化させることが可能となる。
【００３２】
図９は、板ばね支持治具１０３を板ばね１０２上の標準位置に設定して、当該板ばね支持治具１０３をねじ１０４を用いて固定したときの斜視図である。図に示すように、板ばね１０２は、板ばね支持治具１０３の上部部材１０３ａと下部部材１０３ｂで挟まれ、また、板ばね支持治具１０３は本体フレーム２１の上に強固に固定されている。
【００３３】
図１０は、光学箱１１のある振動モードの振幅を示したグラフである。図６のように板ばね支持治具１０３，１０３が標準位置にあるときは、実線３０１のような振幅となる。この場合は、振幅のピークの近傍に加振力の周波数があり、光学箱１１の固有振動数を励起しやすい。
【００３４】
そこで、図７に示したように、板ばね支持治具１０３，１０３の位置をずらして、支持部１０１の剛性を下げ、光学箱１１の固有振動数を下げる。このようにすれば、図１０中の破線３０２のように加振力の周波数から振幅のピーク周波数を周波数の低い方向へ遠ざけることができる。
【００３５】
また、図８に示したように、板ばね支持治具１０３，１０３の位置をずらして、支持部１０１の剛性を上げ、光学箱１１の固有振動数を上げる。このようにすれば、図１０中の点線３０３のように加振力の周波数から振幅のピークを周波数の高い方向へ遠ざけることができる。
【００３６】
なお、板ばね支持治具１０３，１０３をずらしたときの位置は、図６〜図８に示した位置に限らず、図６における位置と図７における位置との間の任意の中間位置であってもよいし、図７における位置と図８における位置との間の任意の中間位置であってもよい。
【００３７】
また、図５において、左右の板ばね支持治具１０３，１０３をねじ２０を中心にして左右対称に移動させる必要はなく、右側の板ばね支持治具１０３を固定（例えば標準位置に固定）して、左側の板ばね支持治具１０３だけを移動させるようにしても良い。逆に、左側の板ばね支持治具１０３を固定（例えば標準位置に固定）して、右側の板ばね支持治具１０３だけを移動させるようにしても良い。
【００３８】
本実施例によれば、光学箱１１の構成や設計値を決定し組み立てた後でも、光学箱１１の固有振動数を変化させることができるため、組み立て後に光学箱１１の固有振動数を励起する加振源および加振周波数が見つかった場合でも、振動振幅の小さな光学箱を実現した支持構造を提供できる。また、本実施例の光走査装置を画像形成装置に搭載すれば、光学箱の振動起因で発生するバンディングなどの画像劣化の少ない画像形成装置を実現することができる。
【００３９】
《実施例２》
図１１〜図１３は実施例２を示している。本実施例では、板厚の異なる板ばね１０２を用意し、その板ばね１０２を交換することによって、支持部１０１の剛性を大きくしたり、逆に、小さくしたりするように構成されている。
【００４０】
すなわち、図１１に示すように、板ばね１０２は、板ばね支持治具１０３の上部部材１０３ａと下部部材１０３ｂとで挟まれ、さらにねじ１０４によって本体フレーム２１の上に固定されている。また、板ばね１０２は位置決めピン１０５によって本体フレーム２１上の所定の位置に位置決めされている。
【００４１】
そして、本実施例では、図１１においては、板ばね１０２の厚さｔ１は標準厚さであり、支持部１０１の剛性は標準的な大きさであるが、図１２においては、板ばね１０２の厚さｔ２は標準厚さよりも薄く、支持部１０１の剛性は小さくなっている。また、図１３においては、板ばね１０２の厚さｔ３は標準厚さよりも厚く、支持部１０１の剛性は大きくなっている。
【００４２】
なお、図１１において、板ばね１０２の板厚がｔ１のときは板ばね支持治具１０３の下部部材１０３ｂの高さをｈ１とし、本体フレーム２１の上面から板ばね１０２の上面までの高さがｈとなるようにする。また、図１２において、板ばね１０２の板厚がｔ２のときは板ばね支持治具１０３の下部部材１０３ｂの高さをｈ２（＞ｈ１）とし、本体フレーム２１の上面から板ばね１０２の上面までの高さがｈとなるようにする。さらに、図１３において、板ばね１０２の板厚がｔ３のときは板ばね支持治具１０３の下部部材１０３ｂの高さをｈ３（＜ｈ１，ｈ２）とし、本体フレーム２１の上面から板ばね１０２の上面までの高さがｈとなるようにする。すなわち、板ばね１０２の上面の高さｈは、図１１〜図１３においては同一とし、板ばね１０２の板厚を薄くしたときは板ばね支持治具１０３の下部部材１０３ｂの高さを高くし、板ばね１０２の板厚を厚くしたときは板ばね支持治具１０３の下部部材１０３ｂの高さを低くする。
【００４３】
図１４は、本実施例による光学箱支持構造の分解斜視図である。本実施例では、板ばね支持治具１０３の上部部材１０３ａにねじ貫通穴１２０ａ，１２０ｂが、下部部材１０３ｂにねじ貫通穴１２１ａ，１２１ｂが各々形成されている。ねじ貫通穴１２０ａとねじ貫通穴１２０ｂとの間の距離Ｗ４は、板ばね１０２の板幅Ｗ２よりも大きく設定されている。同様に、ねじ貫通穴１２１ａとねじ貫通穴１２１ｂとの間の距離Ｗ５（＝Ｗ４）も、板ばね１０２の板幅Ｗ２よりも大きく設定されている。
【００４４】
図１５も、本実施例による光学箱支持構造の分解斜視図である。本実施例では、板ばね支持治具１０３の上部部材１０３ａの幅Ｗ６が板ばね１０２の板幅Ｗ２に略等しく、また、板ばね支持治具１０３の下部部材１０３ｂの幅Ｗ７も板ばね１０２の板幅Ｗ２に略等しくなっている。
【００４５】
板ばね支持治具１０３の上部部材１０３ａにはねじ貫通穴１２２ａ，１２２ｂが、下部部材１０３ｂにはねじ貫通穴１２３ａ，１２３ｂが各々形成されている。また、板ばね１０２にはねじ貫通穴１２４ａ，１２４ｂがそれぞれ形成されている。
【００４６】
そして、ねじ１０４ａを、上部部材１０３ａのねじ貫通穴１２２ａ、板ばね１０２のねじ貫通穴１２４ａ、及び下部部材１０３ｂのねじ貫通穴１２３ａに通した後、本体フレーム２１のねじ穴１０９ａにねじ込む。同様に、ねじ１０４ｂを、上部部材１０３ａのねじ貫通穴１２２ｂ、板ばね１０２のねじ貫通穴１２４ｂ、及び下部部材１０３ｂのねじ貫通穴１２３ｂに通した後、本体フレーム２１のねじ穴１０９ｂにねじ込む。これにより、板ばね１０２を本体フレーム２１に固定することができる。
【００４７】
本実施例によれば、厚さの異なる板ばね１０２及び高さの異なる下部部材１０３ｂを数種類用意しておき、その板ばね１０２及び下部部材１０３ｂを適宜交換することで、支持部１０１の剛性を色々と変化させることができ、実施例１の場合と同様な効果を得ることができる。
【００４８】
《実施例３》
次に、実施例１または実施例２の光走査装置を搭載した画像形成装置について説明する。図１６は、本実施例に係る画像形成装置の概略構成を示している。
【００４９】
４００は画像形成装置であり、この画像形成装置４００には、中間転写ベルト４０１の走行方向（矢印Ａ）に沿って各色の画像形成ユニット４０３，４０４，４０５，４０６が配列されている。画像形成ユニット４０３，４０４，４０５，４０６は４式設けられ、それぞれ、黒色トナーを有するＫ現像ユニット、シアン色トナーを有するＣ現像ユニット、マゼンダ色トナーを有するＭ現像ユニット、イエロー色トナーを有するＹ現像ユニットである。
【００５０】
画像形成ユニット４０３は、トナーを貯めるトナーホッパ、トナー層を形成し感光体ドラム４０７にトナーを供給する現像ローラを含む現像装置４０８、感光体ドラム４０７をクリーニングするドラムクリーナ４０９、感光体ドラム４０７を帯電させる帯電器４１０、及び感光体ドラム４０７に静電潜像を書き込む光走査装置４１１により構成されている。
【００５１】
画像形成ユニット４０３に含まれるトナーホッパ、現像ローラ、ドラムクリーナ４０９、帯電器４１０等は本体フレーム２１（図５参照）に取り付けられ、画像形成装置４００本体から引き出し可能に構成されている。光走査装置４１１としては、実施例１に示したものが用いられている。その他の画像形成ユニット４０４，４０５，４０６の構成も大略同一である。
【００５２】
中間転写ベルト４０１は、複数のローラに引き回され、二次転写ローラ４０２を経由する。ベルトクリーナ４１２は中間転写ベルト４０１の残留トナーを除去する。一次転写ローラ４１３は、感光体ドラム４０７等に対向して中間転写ベルト４０１の内側に感光体ドラム４０７等に対向して配置されている。
【００５３】
用紙４１４は、給紙装置４１５からピックアップローラ４１６により引き出され、分離ローラ等を経て、二次転写ローラ４０２とその対向ローラ４０２Ａにより挟まれながら、中間転写ベルト４０１に接触されて画像が転写され、搬送ベルト４１７を介して定着装置４１８へ向けて送られる。
【００５４】
定着装置４１８は、バックアップローラ４１９、弾性ローラ４２０、加熱ローラ４２１、及び定着ベルト４２２等を有する。定着ベルト４２２は、弾性ローラ４２０と加熱ローラ４２１に掛け渡され、加熱ローラ４２１もしくは他のローラの回転により駆動される。用紙４１４はバックアップローラ４１９により弾性ローラ４２０側に押し付けられている。
【００５５】
加熱ローラ４２１は、金属製中空シャフト内にハロゲンヒータ等の加熱手段を有し、定着ベルト４２２を加熱する。弾性ローラ４２０の表面は、シリコンゴム等の弾性体で形成され、バックアップローラ４１９の押し付け力により、ニップ部を弾性ローラ４２０側に凸とし、用紙４１４が定着ベルト４２２に巻き付くのを防止している。
【００５６】
画像を形成する場合は、感光体ドラム４０７を帯電器４１０で帯電させ、光走査装置４１１によって画像に応じたレーザビームにより感光体ドラム４０７を露光し、感光体ドラム４０７上の電位を低下させる。その露光部位が感光体ドラム４０７の回転により、現像装置４０８に達し、現像装置４０８の帯電トナーが画像形成位置に付着し、トナー画像が感光体ドラム４０７上に形成される。
【００５７】
感光体ドラム４０７上に形成されたトナー画像は、一次転写ローラ４１３が中間転写ベルト４０１を感光体ドラム４０７に押し付ける際に、中間転写ベルト４０１に転写される。各画像形成ユニット４０３，４０４，４０５，４０６の感光体ドラム４０７上のトナー画像も、同様に中間転写ベルト４０１に転写され、これにより、カラーのトナー画像が形成される。
【００５８】
中間転写ベルト４０１の搬送により、二次転写ローラ４０２の部位で搬送されてきた用紙４１４にトナー画像が転写される。トナー画像が転写された用紙４１４は、搬送ベルト４１７により定着装置４１８に搬送され、熱と圧力により、トナーが溶融定着されカラー画像が形成される。
【００５９】
以上、実施例を図面により詳述してきたが、上記各実施例は例示にしか過ぎないものであり、上記各実施例の構成にのみ限定されるものではない。本願の要旨を逸脱しない範囲の設計の変更等があっても、その変更等が本願に含まれることは勿論である。
【００６０】
例えば、実施例２において、板ばね支持治具１０３の上部部材１０３ａに、実施例１で示した長穴１０６ａ，１０６ｂを形成するとともに、板ばね支持治具１０３の下部部材１０３ｂに、実施例１で示した長穴１０７ａ，１０７ｂを形成する。そして、板厚の異なる板ばね１０２に交換する一方、板ばね支持治具１０３を移動させるようにして、支持部１０１の剛性を変化させるようにしても良い。このようにすれば、剛性の変化幅を広げることができ、光学箱１１の固有振動数の調整を高精度に行うことができる。
【符号の説明】
【００６１】
１１  光学箱
１２ａ，１２ｂ  光源ユニット
１３ａ，１３ｂ  シリンダレンズ
１４  偏向走査ユニット
１４a  ポリゴンミラー
１４b  駆動モータ
１５a，１５b  走査レンズ
１６a，１６b  光検出ミラー
１７a，１７b  光検出ユニット
１８a，１８b  折り返しミラー
１９（１９a〜１９d）  固定脚
２０  ねじ
２１  本体フレーム
１０１（１０１a〜１０１d）  支持部
１０２  板ばね
１０３  板ばね支持治具
１０３ａ  上部部材
１０３ｂ  下部部材
１０４（１０４a，１０４b）  ねじ
１０５（１０５a，１０５b）  位置決めピン
１０６（１０６a，１０６b）  長穴
１０７（１０７a，１０７b）  長穴
１０９（１０９a，１０９b）  ねじ穴
１１０（１１０a，１１０b）  ピン貫通穴
１１１（１１１a，１１１b）  位置決め穴
１２０a，１２０b  ねじ貫通穴
１２１a，１２１b  ねじ貫通穴
１２２a，１２２b  ねじ貫通穴
１２３a，１２３b  ねじ貫通穴
１２４a，１２４b  ねじ貫通穴
４００  画像形成装置
４１１  光走査装置
【先行技術文献】
【特許文献】
【００６２】
【特許文献１】特開２００１−２１５４３５号公報
【特許文献２】特開２００７−０３４１６７号公報
【特許文献３】特開２０００−２９２７３０号公報
【特許文献４】特開２００４−０２９５８５号公報
【図１】
2014106316.tif 000003
【図２】
2014106316.tif 000004
【図３】
2014106316.tif 000005
【図４】
2014106316.tif 000006
【図５】
2014106316.tif 000007
【図６】
2014106316.tif 000008
【図７】
2014106316.tif 000009
【図８】
2014106316.tif 000010
【図９】
2014106316.tif 000011
【図１０】
2014106316.tif 000012
【図１１】
2014106316.tif 000013
【図１２】
2014106316.tif 000014
【図１３】
2014106316.tif 000015
【図１４】
2014106316.tif 000016
【図１５】
2014106316.tif 000017
【図１６】
2014106316.tif 000018